(57)【要約】      （修正有）【課題】スライドバーとブラケットの頂板との間の距離の変化を防止することができるプリンタを提供する。【解決手段】プリンタは、ブラケット３０と、ブラケット３０の頂板３１に固定されるスライドバー２０と、プリンタヘッド１０と、を備える。スライドバー２０には、貫通孔２１及び階段孔２３が設けられ、頂板３１には、係止孔３１１１が設けられ、ネジ５０は貫通孔２１を介して係止孔３１１１に螺合され、階段孔２３内には、内ねじ山が形成され、プリンタは、位置決め部材６０をさらに備え、位置決め部材６０は、外ねじ山を有するねじ部を備え、ねじ部は、その一部が階段孔２３内から延伸しており、ブラケット３０の頂板３１に当接するまで、階段孔２３内に螺合され、ネジ５０を頂板３１の係止孔３１１１内に螺合させる過程において、位置決め部材６０の支持により、スライドバー２０とブラケット３０の頂板３１との間の距離の変化を防止する。【選択図】図１
2013248889.tif 000002
【特許請求の範囲】
【請求項１】
印刷用紙がスライドする頂板を有するブラケットと、ネジによって前記ブラケットの頂板に固定されるスライドバーと、前記スライドバーに摺動可能に固定され、且つ前記印刷用紙にインクを噴出するためのプリンタヘッドと、を備えるプリンタにおいて、
前記スライドバーには、貫通孔及び階段孔が設けられ、前記頂板には、係止孔が設けられ、前記ネジは、前記スライドバーの貫通孔を介して前記頂板の係止孔に螺合され、前記階段孔内には、内ねじ山が形成され、前記プリンタは、位置決め部材をさらに備え、前記位置決め部材は、前記階段孔の内ねじ山に対応する外ねじ山を有するねじ部を備え、前記ねじ部は、その一部が前記階段孔内から延伸し、前記ブラケットの頂板に当接するまで、前記階段孔内に螺合され、前記ネジをスライドバーの貫通孔を介して前記頂板の係止孔内に螺合させる過程において、前記位置決め部材の支持により、前記スライドバーと前記ブラケットの頂板との間の距離の変化を防止することができることを特徴とするプリンタ。
【請求項２】
前記ブラケットの頂板には、表面が前記頂板に平行な制限片がさらに設けられ、前記ねじ部の前記階段孔内から延伸する一部は、前記制限片に当接され、前記ねじ部の前記階段孔内から伸出する部分の長さと前記制限片から前記頂板までの距離との和は、前記プリンタヘッドから前記頂板までの距離に等しいことを特徴とする請求項１に記載のプリンタ。
【請求項３】
前記階段孔は、収容孔及び該収容孔と連通する固定孔を備え、前記位置決め部材は、前記ねじ部に連接されるヘッド部をさらに備え、前記ヘッド部は、前記階段孔の収容孔に収容され、前記ねじ部は、前記階段孔の固定孔内に螺合され、前記ねじ部と前記ヘッド部との断面形状は、円形であり、前記ヘッド部の直径は、前記ねじ部の直径より大きく、前記ねじ部の長さは、前記階段孔の固定孔の深さより大きいことを特徴とする請求項１又は２に記載のプリンタ。
【発明の詳細な説明】
【技術分野】
【０００１】
本発明は、プリンタに関し、特にインクジェットプリンタに関するものである。
【背景技術】
【０００２】
従来のインクジェットプリンタは、プリンタヘッド、スライドバー及びブラケットを備える。プリンタヘッドは、スライドバーに摺動可能に取り付けられる。印刷用紙は、ローラーによって、ブラケットの頂板上をスライドする。プリンタヘッドは、スライドバーに沿ってスライドして、ブラケットの頂板上に位置する印刷用紙にインクを噴出する。上記の過程において、印刷品質を確保するために、印刷用紙とプリンタヘッドとの間の距離を維持しなければならない。しかし、スライドバーは、複数のネジによってブラケットの頂板に固定されるため、ネジをブラケットの頂板に螺合させる過程において、スライドバーとブラケットの頂板との間の距離が変わりやすい。これにより、プリンタヘッドと印刷用紙との間の距離が不均一になるため、プリンタヘッドがスライドバーに沿ってスライドする過程において、印刷品質に影響を与える可能性がある。
【発明の概要】
【発明が解決しようとする課題】
【０００３】
前記課題を解決するために、本発明は、スライドバーとブラケットの頂板との間の距離の変化を防止することができるプリンタを提供する。
【課題を解決するための手段】
【０００４】
本発明に係るプリンタは、印刷用紙がスライドする頂板を有するブラケットと、ネジによって前記ブラケットの頂板に固定されるスライドバーと、前記スライドバーに摺動可能に固定され、且つ前記印刷用紙にインクを噴出するためのプリンタヘッドと、を備える。前記スライドバーには、貫通孔及び階段孔が設けられ、前記頂板には、係止孔が設けられ、前記ネジは、前記スライドバーの貫通孔を介して前記頂板の係止孔に螺合され、前記階段孔内には、内ねじ山が形成され、前記プリンタは、位置決め部材をさらに備え、前記位置決め部材は、前記階段孔の内ねじ山に対応する外ねじ山を有するねじ部を備え、前記ねじ部は、その一部が前記階段孔内から延伸しており、前記ブラケットの頂板に当接するまで、前記階段孔内に螺合され、前記ネジをスライドバーの貫通孔を介して前記頂板の係止孔内に螺合させる過程において、前記位置決め部材の支持により、前記スライドバーと前記ブラケットの頂板との間の距離の変化を防止することができる。
【発明の効果】
【０００５】
従来の技術と比べて、本発明のプリンタは、スライドバーが位置決め部材によってブラケットの頂板に当接されるため、ネジをスライドバーの貫通孔を介してブラケットの頂板に螺合させる過程において、前記位置決め部材の支持により、スライドバーと前記ブラケットの頂板との間の距離の変化を防止することができる。また、位置決め部材の外ねじ山と階段孔の中の内ねじ山との係合により、位置決め部材を回転させることで、スライドバーとブラケットの頂板との間の距離を調整することができる。
【図面の簡単な説明】
【０００６】
【図１】本発明の実施形態に係るプリンタの分解図である。
【図２】図１に示したプリンタの組立図である。
【図３】図２に示したプリンタの部分断面図である。
【図４】図３に示したプリンタのＩＶ部分の拡大図である。
【図５】図３に示したプリンタのＶ部分の拡大図である。
【発明を実施するための形態】
【０００７】
以下、図面を参照して、本発明の実施形態について説明する。
【０００８】
図１を参照すると、本発明の実施形態に係るプリンタは、プリンタヘッド１０、スライドバー２０及びブラケット３０を備える。
【０００９】
プリンタヘッド１０は、インクジェット（図示せず）を備え、且つ該プリンタヘッド１０に取付孔１１が設けられており、該取付孔１１は、切り欠き１２を有する。
【００１０】
スライドバー２０は、円柱形の棒であり、且つスライドバー２０には、スライドバー２０を径方向（スライドバー２０の軸方向に直交する方向）に貫通する２つの貫通孔２１及び該２つの貫通孔２１の間に位置する階段孔２３が設けられている。図５に示すように、階段孔２３は、収容孔２３１及び該収容孔２３１と連通する固定孔２３３を備える。本実施形態において、収容孔２３１及び固定孔２３３は、円形孔であり、収容孔２３１の直径は、固定孔２３３の直径より大きい。また、固定孔２３３の内壁には、複数の内ねじ山２３３１が形成されている。
【００１１】
ブラケット３０は、印刷用紙がスライドする頂板３１を備える。頂板３１には、上方に向かって突出する２つの係止片３１１及び該２つの係止片３１１の間に位置する制限片３１２が設けられている。本実施形態において、２つの係止片３１１の上表面及び制限片３１２の上表面は、頂板３１に平行であり、同じ高さに位置する。各係止片３１１には、係止孔３１１１がそれぞれ設けられている。
【００１２】
プリンタは、２つのネジ５０と、位置決め部材６０と、をさらに備える。位置決め部材６０は、ねじ部６１及びヘッド部６２を備える。ねじ部６１の外周面には、固定孔２３３の内ねじ山２３３１に螺合するための複数の外ねじ山６１１が設けられている。本実施形態において、ねじ部６１とヘッド部６２との断面形状は円形である。ヘッド部６２の直径は、ねじ部６１の直径より大きい。また、ねじ部６１の長さは、固定孔２３３の深さより大きい。本実施形態において、位置決め部材６０は、ネジである。
【００１３】
図２〜図５を参照すると、プリンタを組み立てる場合、まず、スライドバー２０をブラケット３０の頂板３１の上方に設置し、且つスライドバー２０の２つの貫通孔２１をブラケット３０の係止片３１１の係止孔３１１１にそれぞれに対応させ、スライドバー２０の階段孔２３の固定孔２３３をブラケット３０の制限片３１２に対応させる。次に、位置決め部材６０のねじ部６１を固定孔２３３に位置合わせした後、ねじ部６１の一部が固定孔２３３から伸出して制限片３１２に当接するまで、位置決め部材６０のねじ部６１を固定孔２３３内に螺合させる。この時、位置決め部材６０のヘッド部６２は、階段孔２３の収容孔２３１に収容される。ねじ部６１が固定孔２３３から伸出する長さと制限片３１２から頂板３１までの距離との和は、前記インクジェットから頂板３１までの距離に等しい。最後に、２つのネジ５０をスライドバー２０の２つの貫通孔２１を介して係止片３１１の係止孔３１１１内にそれぞれ螺合させて、スライドバー２０をブラケット３０の頂板３１に固定する。ネジ５０をブラケット３０の頂板３１に螺合させる過程において、位置決め部材６０と制限片３１２との支持により、スライドバー２０とブラケット３０の頂板３１との間の距離の変化を防止することができる。
【００１４】
前記インクジェットとブラケット３０の頂板３１との間の距離を調整する必要がある場合、位置決め部材６０を回転させて、ねじ部６１の、固定孔２３３から伸出する部分の長さを調整する。
【００１５】
本発明のプリンタを使用する時、プリンタヘッド１０の取付孔１１をスライドバー２０と係合させる。これにより、プリンタヘッド１０は、スライドバー２０に沿って摺動可能であり、且つインクジェットを利用してブラケット３０の頂板３１に位置する印刷用紙にインクを噴出することができる。
【００１６】
他の実施形態において、係止片３１１及び制限片３１２は、ブラケット３０の頂板３１に設置しなくても良い。しかし、その代わりとして、係止孔３１１１を頂板３１に直接設けて、ネジ５０をスライドバー２０及び頂板３１に螺合させて、位置決め部材６０のねじ部６１を頂板３１に直接当接させる。
【符号の説明】
【００１７】
１０  プリンタヘッド
１１  取付孔
１２  切り欠き
２０  スライドバー
２１  貫通孔
２３  階段孔
２３１  収容孔
２３３  固定孔
２３３１  内ねじ山
３０  ブラケット
３１  頂板
３１１  係止片
３１１１  係止孔
３１２  制限片
５０  ネジ
６０  位置決め部材
６１  ねじ部
６１１  外ねじ山
６２  ヘッド部
【図１】
2013248889.tif 000003
【図２】
2013248889.tif 000004
【図３】
2013248889.tif 000005
【図４】
2013248889.tif 000006
【図５】
2013248889.tif 000007